(57)【要約】  本発明は、組立過程で発生する内部構成の損傷を最小化したバッテリーモジュールを開示する。このような目的を達成するための本発明によるバッテリーモジュールは、電極リードを備え、積層された複数の二次電池を備えるセルアセンブリーと、前記セルアセンブリーの前方または後方に位置するバスバーフレーム及び前記バスバーフレームの外側面に取り付けられるバスバーを備えたバスバーアセンブリーと、前記セルアセンブリーの外側に位置し、プレート状に形成され、外周縁に面取り部が形成されたプレート部、及び前記プレート部の外周縁の一部に位置し前記バスバーフレームの本体部の一端部と結合する結合部が備えられた内部カバーと、を含む。
2021517718.tif 000002
【特許請求の範囲】
【請求項１】
前後方向へ突出するように形成された電極リードを備え、左右方向へ相互に積層された複数の二次電池を備えるセルアセンブリーと、
前記セルアセンブリーの電極リードが形成された前方または後方に位置し、板状の本体部を有するバスバーフレーム、及び前記バスバーフレームの外側面に取り付けられ、前記複数の二次電池の電極リードを相互に電気的に接続するように伝導性金属を有するバスバーを備えたバスバーアセンブリーと、
前記セルアセンブリーの外側に位置し、プレート状に形成され、外周縁に面取り部が形成されたプレート部、及び前記プレート部の外周縁の一部に位置し前記バスバーフレームの本体部の一端部と結合する結合部が備えられた内部カバーと、
を含むことを特徴とする、バッテリーモジュール。
【請求項２】
前記プレート部は、横たえた形態の四角プレートであり、前方向、後方向、左方向、及び右方向の各々の端部には面取り部が形成され、
前記面取り部は、前記プレート部の外側へ進むほど内側方向へ傾いた構造を有することを特徴とする、請求項１に記載のバッテリーモジュール。
【請求項３】
前記バッテリーモジュールは、両端が開放された管状のモジュールハウジングをさらに含み、
前記モジュールハウジングの開放された両端には面取り部が形成され、
前記面取り部は、両端へ進むほど外側方向へ傾いた構造を有することを特徴とする、請求項２に記載のバッテリーモジュール。
【請求項４】
前記モジュールハウジングの内側面には、内側方向へ突出し、前記モジュールハウジングの開放された両端へ長く延びた線状突起が形成され、
前記内部カバーのプレート部の外側面には、前記線状突起が挿入されて移動可能に内側方向へ凹み、前記線状突起が延びた方向へ長く延びたガイド溝が形成されたことを特徴とする、請求項３に記載のバッテリーモジュール。
【請求項５】
前記バスバーフレームの本体部の一端部には、前記内部カバーの結合部とヒンジ結合構造で結合する締結部が備えられたことを特徴とする、請求項１から請求項４のいずれか一項に記載のバッテリーモジュール。
【請求項６】
前記バスバーフレームの本体部は、内側方向へ突出した形態の突出部が備えられ、
前記内部カバーのプレート部は、前記バスバーフレームと結合した一端部に前記突出部が挿入されるように内側方向へ凹んだ挿入溝が形成されたことを特徴とする、請求項１から請求項５のいずれか一項に記載のバッテリーモジュール。
【請求項７】
前記バッテリーモジュールは、保護回路モジュールをさらに含み、
前記保護回路モジュールは、
前後方向へ長く延びた形態であり、導線パターンが形成された印刷回路基板と、
前記印刷回路基板の前後方向の両端部に形成され、前記二次電池の電圧を測定するように導線を備えた電圧センシング端子と、を備え、
前記内部カバーのプレート部の内側下面には、前記印刷回路基板の少なくとも一部が挿入されるように内部に凹んだ凹み部が備えられたことを特徴とする、請求項１から請求項６のいずれか一項に記載のバッテリーモジュール。
【請求項８】
前記バスバーフレームの本体部の下端には、前記セルアセンブリーの一部を上方へ支持するように内側方向へ突出して延びた支持板が備えられたことを特徴とする、請求項１から請求項７のいずれか一項に記載のバッテリーモジュール。
【請求項９】
前記支持板は、内側方向へ進むほど前記支持板の少なくとも一部の幅が次第に減少して中央部分が鋭くなる端部ラインを有することを特徴とする、請求項８に記載のバッテリーモジュール。
【請求項１０】
前記支持板は、内側方向の末端へ進むほど厚さが薄くなる傾斜構造を有することを特徴とする、請求項８または請求項９に記載のバッテリーモジュール。
【請求項１１】
請求項１から請求項１０のいずれか一項に記載のバッテリーモジュールを少なくとも一つ以上を含む、バッテリーパック。
【請求項１２】
請求項１１に記載のバッテリーパックを含む、自動車。
【発明の詳細な説明】
【技術分野】
【０００１】
本発明は、内側カバーを含むバッテリーモジュールに関し、より詳しくは、組立過程で発生する内部構成の損傷を最小化したバッテリーモジュールに関する。
【０００２】
本出願は、２０１８年１２月２６日出願の韓国特許出願第１０−２０１８−０１６９９６９号に基づく優先権を主張し、該当出願の明細書及び図面に開示された内容は、すべて本出願に組み込まれる。
【背景技術】
【０００３】
最近、ノートブックＰＣ、ビデオカメラ、携帯電話などのような携帯用電子製品の需要が急増し、電気自動車、エネルギー貯蔵用蓄電池、ロボット、衛星などの開発が本格化するにつれ、反復的な充放電の可能な高性能二次電池についての研究が活発に進行しつつある。
【０００４】
現在、商用化した二次電池としては、ニッケルカドミウム電池、ニッケル水素電池、ニッケル亜鉛電池、リチウム二次電池などがあり、このうち、リチウム二次電池は、ニッケル系の二次電池に比べてメモリ効果がほとんど起こらず、充放電が自由で、自己放電率が非常に低くてエネルギー密度が高いという長所から脚光を浴びている。
【０００５】
このようなリチウム二次電池は、主にリチウム系酸化物と炭素材を各々正極活物質と負極活物質に用いる。また、リチウム二次電池は、正極活物質と負極活物質が各々塗布された正極板と負極板とがセパレーターを挟んで配置された電極組立体と、このような電極組立体を電解液と共に封止収納する外装材、即ち、電池ケースを備える。
【０００６】
なお、リチウム二次電池は、外装材の形状に応じて、電極組立体が金属缶に内蔵されている缶型二次電池と、電極組立体がアルミニウムラミネートシートのパウチに内蔵されているパウチ型二次電池と、に分けることができる。
【０００７】
このうち、パウチ型二次電池は、複数の二次電池を収容するモジュールハウジング、及び複数の二次電池を電気的に接続するように構成されたバスバーアセンブリーを備えたバッテリーモジュールを構成するのに使用され得る。
【０００８】
また、パウチ型二次電池は、電極端子の機能を果たす電極リードが薄型の金属シート状で提供されるため、パウチ型二次電池セルから構成されたバッテリーモジュールは、上記電極リードを容易かつ安定的に連結するための手段として金属板状のバスバーを含む。上記バスバーは通常、ボード（ｂｏａｒｄ）形態のバスバーフレームの上に一定のパターンで取り付けられ得る。
【０００９】
そして、パウチ型二次電池から構成されたバッテリーモジュールは、一部の二次電池が、過電圧、過電流または過発熱する場合、これをセンシングして制御するために、複数のワイヤと、印刷回路基板、コネクターなどのような電圧センシング部品をさらに含む。
【００１０】
このようなバッテリーモジュールの組立過程は、パウチ型二次電池セルを積層してセル積層体を形成し、このセル積層体にバスバーフレームと電圧センシング部品を組み立てた後、モジュールハウジングでこれらを一体でケーシングする過程を含む。しかし、セル積層体をモジュールハウジングの内部空間に挿入収納する際に、セル積層体とモジュールハウジングとの摩擦ないし衝撃によってセル積層体が損傷する問題が発生した。
【００１１】
さらに、電気自動車用バッテリーモジュールは、収納空間が小さいながらもエネルギー密度は高めるために、構成部品の組立公差が最小化している。このように、バッテリーモジュールの部品の組立公差が小さい場合、若干の位置誤差にも干渉が発生して組立が難しくなり、歩留まりが低下する問題点がある。そこで、バッテリーモジュールの組立に際し、エネルギー密度を阻害しない範囲内で上述した問題点を解決することができる方案が求められる。
【００１２】
なお、自動車用バッテリーモジュールは、内部に搭載される内部構成の縁端が鋭い形状を有するか、または内側方向へ折り曲げられた形態を有する部材が適用される場合、自動車事故時、このような内部構成が壊れながら内部に収容された二次電池を損傷させる問題が発生する恐れがあった。
【発明の概要】
【発明が解決しようとする課題】
【００１３】
本発明は、上記問題点に鑑みてなされたものであり、組立過程で発生する内部構成の損傷を最小化したバッテリーモジュールを提供することを目的とする。
【００１４】
本発明の他の目的及び長所は、下記する説明によって理解でき、本発明の実施例によってより明らかに分かるであろう。また、本発明の目的及び長所は、特許請求の範囲に示される手段及びその組合せによって実現することができる。
【課題を解決するための手段】
【００１５】
上記の課題を達成するための本発明のバッテリーモジュールは、
前後方向へ突出するように形成された電極リードを備え、左右方向へ相互に積層された複数の二次電池を備えるセルアセンブリーと、
上記セルアセンブリーの電極リードが形成された前方または後方に位置し、板状の本体部を有するバスバーフレーム、及び上記バスバーフレームの外側面に取り付けられ、上記複数の二次電池の電極リードを相互に電気的に接続するように伝導性金属を有するバスバーを備えたバスバーアセンブリーと、
上記セルアセンブリーの外側に位置し、プレート状に形成され、外周縁に面取り部が形成されたプレート部、及び上記プレート部の外周縁の一部に位置し上記バスバーフレームの本体部の一端部と結合する結合部が備えられた内部カバーと、を含む。
【００１６】
また、上記プレート部は、横たえた形態の四角プレートであり、前方向、後方向、左方向、及び右方向の各々の端部には面取り部が形成され得る。
【００１７】
さらに、上記面取り部は、上記プレート部の外側へ進むほど内側方向へ傾いた構造を有し得る。
【００１８】
そして、上記バッテリーモジュールは、両端が開放された管状のモジュールハウジングをさらに含み得る。
【００１９】
また、上記ジュールハウジングの開放された両端には面取り部が形成され得る。
【００２０】
さらに、上記面取り部は、両端へ進むほど外側方向へ傾いた構造を有し得る。
【００２１】
そして、上記モジュールハウジングの内側面には、内側方向へ突出し、上記モジュールハウジングの開放された両端へ長く延びた線状突起が形成され得る。
【００２２】
また、上記内部カバーのプレート部の外側面には、上記線状突起が挿入されて移動可能に内側方向へ凹み、上記線状突起が延びた方向へ長く延びたガイド溝が形成され得る。
【００２３】
さらに、上記バスバーフレームの本体部の一端部には、上記内部カバーの結合部とヒンジ結合構造で結合する締結部が備えられ得る。
【００２４】
そして、上記バスバーフレームの本体部は、内側方向へ突出した形態の突出部が備えられ得る。
【００２５】
さらに、上記内部カバーのプレート部は、上記バスバーフレームと結合した一端部に上記突出部が挿入されるように内側方向へ凹んだ挿入溝が形成され得る。
【００２６】
また、上記バッテリーモジュールは、保護回路モジュールをさらに含み得る。
【００２７】
さらに、上記保護回路モジュールは、前後方向へ長く延びた形態であり、導線パターンが形成された印刷回路基板と、上記印刷回路基板の前後方向の両端部に形成され、上記二次電池の電圧を測定するように導線を備えた電圧センシング端子と、を備え得る。
【００２８】
そして、上記内部カバーのプレート部の内側下面には、上記印刷回路基板の少なくとも一部が挿入されるように内部に凹んだ凹み部が備えられ得る。
【００２９】
さらに、上記バスバーフレームの本体部の下端には、上記セルアセンブリーの一部を上方へ支持するように内側方向へ突出して延びた支持板が備えられ得る。
【００３０】
また、上記支持板は、内側方向へ進むほど支持板の少なくとも一部の幅が次第に減少して中央部分が鋭くなる端部ラインを有し得る。
【００３１】
さらに、上記支持板は、内側方向の末端へ進むほど厚さが薄くなる傾斜構造を有し得る。
【００３２】
なお、上記の課題を達成するための本発明のバッテリーパックは、上記バッテリーモジュールを少なくとも一つ以上を含む。
【００３３】
また、上記の課題を達成するための本発明の自動車は、上記バッテリーパックを含む。
【発明の効果】
【００３４】
本発明の一面によれば、本発明のバッテリーモジュールは、外周縁に面取り部が形成された内部カバーを備えることで、セルアセンブリー及び内部カバーがモジュールハウジングの内部に挿入される過程で干渉ないし摩擦によってセルアセンブリーがモジュールハウジングによって損傷することを防止することができる。
【００３５】
また、本発明の一実施例の一面によれば、本発明のバッテリーモジュールは、内部カバーにバスバーフレームと結合する結合部を備えることで、バスバーフレームをセルアセンブリーの前端部または後端部に容易に取り付けて固定することができ、バッテリーモジュールの製造効率を高めることができる。
【００３６】
さらに、本発明の一面によれば、本発明の下方へ傾いた面取り部が形成された内部カバーは、モジュールハウジングの内部に挿入される過程でよりスムーズに挿入でき、内部カバーによってモジュールハウジングと内部構成であるセルアセンブリー及び内部カバーが相互に密着するように挿入することが可能である。これによって、バッテリーモジュールは、モジュールハウジングによる放熱効率をより高めることができるという利点がある。
【００３７】
そして、本発明の一面によれば、本発明のバッテリーモジュールは、モジュールハウジングの開放された両側端部に面取り部を形成することで、セルアセンブリー及び内部カバーを内部空間に挿入する過程で発生する干渉を最小化することができるだけでなく、モジュールハウジングの内面とセルアセンブリーの外面（下面）とが密着して挿入されるようにする。
【００３８】
さらに、本発明の一面によれば、本発明は、モジュールハウジングの内側面に形成された線状突起が挿入されて移動可能に構成されたガイド溝を内部カバーの外側面に形成することで、モジュールハウジングの内部に内部カバー及びセルアセンブリーが挿入されて移動する経路をガイドすることができる。これによって、製造工程の時間を短縮し、挿入過程で動きによるモジュールハウジング内側面と内部カバー及びセルアセンブリーが干渉することを最小化することができる。
【００３９】
また、本発明の一面によれば、本発明は、内部カバーの内側面に内側方向へ凹んだ凹み部を形成することで、印刷回路基板の一部を挿入固定することができる。これによって、印刷回路基板が占める体積を減らすことができるだけではなく、凹み部は印刷回路基板が正確な位置に位置するようにガイドでき、製造時間を短縮することができる。さらに、凹み部に挿入された印刷回路基板は、セルアセンブリーが印刷回路基板を上方へ加圧する力を減少させることができる。
【００４０】
さらに、本発明の一面によれば、本発明は、バスバーフレームにセルアセンブリーの下面の一部を上方へ支持できる支持板を備えることで、セルアセンブリーの垂れを防止してモジュールハウジングとの組立を容易にする。また、支持板は、中央が鋭い縁端を有する先端部を有することで、モジュールハウジングの内部へ容易に入られる。
【００４１】
そして、本発明の一面によれば、本発明は、支持板に内側方向の末端へ進むほど厚さが薄くなる傾斜構造を形成することで、バッテリーモジュールの組立に際し、モジュールハウジングの入口が支持板の傾斜構造に沿って入りながら広がるようにすることでスムーズに組み立てられる。
【００４２】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図面の簡単な説明】
【００４３】
【図１】本発明の一実施例によるバッテリーモジュールを概略的に示す斜視図である。
【図２】本発明の一実施例によるバッテリーモジュールの一部構成であるモジュールハウジングを分解した様子を概略的に示す分解斜視図である。
【図３】本発明の一実施例によるバッテリーモジュールの一部構成を分解した様子を概略的に示す分解斜視図である。
【図４】本発明の一実施例によるバッテリーモジュールの一部構成である二次電池を概略的に示す側面図である。
【図５】図３の内部カバーのＡ領域を拡大して概略的に示す斜視図である。
【図６】図３の内部カバーのＢ領域を拡大して概略的に示す後方斜視図である。
【図７】本発明の一実施例によるバッテリーモジュールの一部構成であるモジュールハウジングを概略的に示す斜視図である。
【図８】本発明の一実施例によるバッテリーモジュールの一部構成を概略的に示す斜視図である。
【図９】図１のバッテリーモジュールのＤ領域を拡大して概略的に示す斜視図である。
【図１０】本発明の一実施例によるバッテリーモジュールの一部構成が組み立てられる過程を概略的に示す側面図である。
【図１１】本発明の一実施例によるバッテリーモジュールの一部構成である内部カバーを概略的に示す底面図である。
【図１２】本発明の一実施例によるバッテリーモジュール及び分離したモジュールハウジングを概略的に示す底面図である。
【図１３】図１２のバッテリーモジュールの線Ｅ−Ｅ’に沿って切断した側面の一部を概略的に示す側断面図である。
【図１４】本発明の実施例によるバッテリーモジュールを概略的に示す底面図である。
【発明を実施するための形態】
【００４４】
以下、添付された図面を参照して本発明の望ましい実施例を詳しく説明する。これに先立ち、本明細書及び特許請求の範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００４５】
したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００４６】
図１は、本発明の一実施例によるバッテリーモジュールを概略的に示す斜視図である。図２は、本発明の一実施例によるバッテリーモジュールの一部構成であるモジュールハウジングを分解した様子を概略的に示す分解斜視図である。図３は、本発明の一実施例によるバッテリーモジュールの一部構成を分解した様子を概略的に示す分解斜視図である。そして、図４は、本発明の一実施例によるバッテリーモジュールの一部構成である二次電池を概略的に示す側面図である。
【００４７】
図１〜図４を参照すれば、本発明の一実施例によるバッテリーモジュール２００は、セルアセンブリー１００、バスバーアセンブリー２２０、内部カバー２４０及びモジュールハウジング２１０を備え得る。
【００４８】
ここで、上記セルアセンブリー１００は、複数の二次電池１１０を備え得る。
【００４９】
この際、上記二次電池１１０は、パウチ型二次電池１１０であり得る。特に、このようなパウチ型二次電池１１０は、電極組立体（図示せず）、電解質（図示せず）及びパウチ外装材１１５を備え得る。
【００５０】
ここで、電極組立体は、一つ以上の正極板及び一つ以上の負極板がセパレーターを挟んで構成され得る。より具体的には、電極組立体は、一つの正極板及び一つの負極板がセパレーターと共に巻き取られた巻取型、及び複数の正極板と複数の負極板とがセパレーターを挟んで相互に積層されたスタック型などに分けられる。
【００５１】
また、パウチ外装材１１５は、外部絶縁層、金属層及び内部接着層を備えて構成され得る。このようなパウチ外装材１１５は、電極組立体と電解液などの内部構成要素を保護し、電極組立体と電解液による電気化学的性質に対する補完及び放熱性などを向上させるために、金属薄膜、例えば、アルミニウム薄膜が含まれた形態で構成され得る。そして、このようなアルミニウム薄膜は、電極組立体及び電解液のような二次電池１１０の内部の構成要素や二次電池１１０の外部の他の構成要素との電気的な絶縁性を確保するために、絶縁物質から形成された絶縁層の間に介在され得る。
【００５２】
特に、パウチ外装材１１５は、二つのパウチから構成され得、そのうち少なくとも一つには凹んだ形態の内部空間が形成され得る。そして、このようなパウチの内部空間には電極組立体が収納され得る。さらに、二つのパウチの外周縁には封止部Ｓ１、Ｓ２、Ｓ３、Ｓ４が備えられ、このようなパウチの封止部Ｓ１、Ｓ２、Ｓ３、Ｓ４が相互に溶着することで、電極組立体が収容された内部空間を密閉することができる。
【００５３】
各々のパウチ型二次電池１１０は、前後方向へ突出するように形成された電極リード１１１を備え得、このような電極リード１１１には正極リード１１１ａ及び負極リード１１１ｂが含まれ得る。
【００５４】
より具体的には、電極リード１１１は、パウチ外装材１１５の前方または後方の外周縁に位置した封止部Ｓ１、Ｓ３の各々から前方または後方へ突出するように構成され得る。そして、このような電極リード１１１は、二次電池１１０の電極端子として機能できる。
【００５５】
例えば、図４に示したように、一つの電極リード１１１ａが二次電池１１０から前方へ突出するように構成され得、他の一つの電極リード１１１ｂが二次電池１１０から後方へ突出するように構成され得る。
【００５６】
したがって、本発明のこのような構成によれば、一つの二次電池１１０において、正極リード１１１ａと負極リード１１１ｂとの干渉がなくなり、電極リード１１１の面積を広げることができ、電極リード１１１とバスバー２２５との溶接工程などをより容易に行うことができる。
【００５７】
また、上記パウチ型二次電池１１０は、バッテリーモジュール２００に複数個が含まれ、少なくとも一方向へ積層されるように配列され得る。例えば、図３に示したように、複数のパウチ型二次電池１１０が左右方向へ並んで相互に積層されて構成され得る。この際、各々のパウチ型二次電池１１０は、二つの広い面が左右側に各々位置し、上部と下部、前方及び後方には封止部Ｓ１、Ｓ２、Ｓ３、Ｓ４が位置するように地面に略垂直に立てられるように配置され得る。即ち、各二次電池１１０は、上下方向へ立てられて構成され得る。
【００５８】
前述したパウチ型二次電池１１０の構成については、本願発明が属する技術分野における当業者にとって自明な事項であるので、より詳細な説明を省略する。そして、本発明によるセルアセンブリー１００には、本願出願時点における公知の多様な二次電池１１０が採用され得る。
【００５９】
一方、図１及び図３をさらに参照すれば、上記バスバーアセンブリー２２０は、バスバーフレーム２２２と、上記バスバーフレーム２２２の外側面に取り付けられるバスバー２２５を備え得る。
【００６０】
具体的には、上記バスバーフレーム２２２は、Ｆ方向から見たとき、上記セルアセンブリー１００の電極リード１１１が形成された前方または後方に位置し得る。一方、本明細書に記載された、前、後、左、右、上、下のように方向を示す用語は、観測者の位置や対象が置かれた形態によって変わり得る。但し、本明細書においては、説明の便宜のために、Ｆ方向から見たときを基準にして、前、後、左、右、上、下などの方向を区分して示す。
【００６１】
また、上記バスバーフレーム２２２は、板状の本体部２２２ａを有し得る。さらに、上記本体部２２２ａは、地面を基準で上下方向へ直立するように形成され得る。そして、上記本体部２２２ａは、上記セルアセンブリー１００の前端面を覆い得る大きさを有し得る。さらに、上記バスバーフレーム２２２は、電気絶縁性の素材を含み得る。例えば、上記電気絶縁性の素材はプラスチックであり得る。
【００６２】
例えば、図２に示したように、上記バスバーアセンブリー２２０は、上記セルアセンブリー１００の電極リード１１１が形成された前方及び後方の各々に位置した二つのバスバーフレーム２２２、２２４を備え得る。
【００６３】
また、上記バスバーアセンブリー２２０は、上記複数のパウチ型二次電池１１０の電極リード１１１を電気的に接続するように伝導性金属を有するバスバー２２５を備え得る。例えば、上記伝導性金属は、銅、銅合金、アルミニウム、アルミニウム合金またはニッケルなどであり得る。また、上記バスバー２２５は、上記バスバーフレーム２２２の外側面に取り付けられ得る。
【００６４】
具体的には、上記バスバー２２５は、上記バスバーフレーム２２２の外側面に装着固定され得る。そして、上記バスバー２２５は、上記バスバーフレーム２２２の外側面に左右方向へ並んで配置され、複数個が取り付けられ得る。さらに、複数のバスバー２２５は、上記バスバーフレーム２２２の位置によって電気的極性が相異なり得る。
【００６５】
さらに、上記バスバーフレーム２２２は、少なくとも一つ以上の電極リード１１１が貫通して突出するように貫通口Ｈ１が形成され得る。具体的には、上記複数の電極リード１１１の端部は、上記二次電池１１０から前後方向へ突出した形態で上記バスバーフレーム２２２の貫通口Ｈ１を貫通するように構成され得る。これによって、上記貫通口Ｈ１は、上記バスバーフレーム２２２に挿通した電極リード１１１の端部が上記バスバー２２５の本体に接続しやすい位置と大きさに形成され得る。例えば、図３に示したように、本発明のバッテリーモジュール２００は、総２４個の二次電池１１０が二つずつ一組で電気的に並列接続し得る。そして、上記複数のバスバー２２５を介して１２組の二次電池１１０が直列接続するように構成され得る。
【００６６】
図５は、図３の内部カバーのＡ領域を拡大して概略的に示す斜視図である。として、図６は、図３の内部カバーのＢ領域を拡大して概略的に示す後方斜視図である。
【００６７】
図５及び図６を参照すれば、上記内部カバー２４０は、上記セルアセンブリー１００の外側に位置し得る。例えば、図２に示したように、上記内部カバー２４０は、上記セルアセンブリー１００の上側に位置し得る。また、上記内部カバー２４０は、プレート部２４１を備え得る。
【００６８】
具体的には、上記プレート部２４１は、地面に平行して延びたプレート状に形成され得る。例えば、上記プレート部２４１は、扁平な上下面を有して横たえた形態の四角プレート状であり得る。さらに、上記プレート部は、横たえた形態の四角プレートであり、前方向、後方向、左方向、及び右方向の各々の端部には面取り部Ｃ２が形成され得る。即ち、上記プレート部２４１は、水平方向の外周縁に面取り部Ｃ２が形成され得る。このような面取り部Ｃ２は、上記プレート部２４１の水平方向の端部の角を削ることで形成され得る。例えば、図３、図５及び図６に示したように、上記プレート部２４１は、前方向、後方向、左方向、及び右方向各々の端部の水平方向の末端面に面取り部Ｃ２が形成され得る。
【００６９】
したがって、本発明のこのような構成によれば、本発明のバッテリーモジュール２００は、外周部に面取り部Ｃ２が形成された内部カバー２４０を備えることで、図２のように、上記セルアセンブリー１００及び上記内部カバー２４０が上記モジュールハウジング２１０の内部に挿入される過程で上記セルアセンブリー１００が上記モジュールハウジング２１０によって損傷することを防止することができる。
【００７０】
さらに、上記内部カバー２４０は、外周部の末端面に面取り部Ｃ２が形成されており、上記モジュールハウジング２１０の内部に挿入される過程で上記モジュールハウジング２１０の内面と衝突するか、または干渉が発生することを防止することができる。これによって、上記バッテリーモジュール２００の製造時間を短縮して製造効率を高めることができるという利点がある。
【００７１】
一方、上記内部カバー２４０は、上記バスバーフレーム２２２の一端部と結合した結合部２４５を備え得る。具体的には、上記結合部２４５は、上記プレート部２４１の水平方向の外周部の一部に形成され得る。例えば、図３に示したように、上記結合部２４５は、上記プレート部２４１の前端部２４０ａ及び後端部２４０ｂの各々に形成され得る。また、上記結合部２４５は、上記バスバーフレーム２２２の本体部２２２ａの上端部と結合し得る。
【００７２】
したがって、本発明のこのような構成によれば、本発明は、上記内部カバー２４０に上記バスバーフレーム２２２と結合する結合部２４５を備えることで、上記バスバーフレーム２２２を上記セルアセンブリー１００の前端部または後端部に容易に搭載固定できる利点があり、バッテリーモジュール２００の製造効率を向上させることができる。
【００７３】
図５及び図６をさらに参照すれば、上記内部カバー２４０が上記セルアセンブリー１００の上部に位置する場合、上記面取り部Ｃ２は、外側（末端部）へ進むほど下方へ傾いた構造を有し得る。逆に、上記内部カバー２４０が上記セルアセンブリー１００の下部に位置する場合、上記面取り部Ｃ２は、外側（末端部）へ進むほど上方へ傾いた構造を有し得る。ここで、「内側方向」とは、上記内部カバー２４０を基準で上記セルアセンブリー１００が位置した方向を意味する。
【００７４】
即ち、上記面取り部Ｃ２は、外側へ進むほど上記セルアセンブリー１００が位置した方向へ傾いた構造であり得る。また、上記面取り部Ｃ２は、上記プレート部２４１の外周部が上記プレート部２４１の末端面へ進むほど徐々に上下方向の厚さが薄くなる構造であり得る。さらに、上記面取り部Ｃ２は、上記内部カバー２４０が上記セルアセンブリー１００の上部に位置する場合、上記プレート部２４１の上側面の位置が上記プレート部２４１の末端部へ進むほど次第に低くなる形態であり得る。
【００７５】
例えば、図５及び図６のように、上記プレート部２４１は、横たえた形態の四角プレートであり、前方向、後方向、左方向、及び右方向の端部２４０ａ、２４０ｂ、２４０ｃ、２４０ｄの各々の末端面には、面取り部Ｃ２が形成され、上記面取り部Ｃ２は、上記プレート部２４１の末端部へ進むほど下方へ傾いた構造を有し得る。
【００７６】
したがって、本発明のこのような構成によれば、上記下方へ傾いた面取り部Ｃ２が形成された内部カバー２４０は、上記モジュールハウジング２１０の内部に挿入される過程でよりスムーズに挿入される。さらに、上記内部カバー２４０によって上記モジュールハウジング２１０に、内部構成であるセルアセンブリー１００及び内部カバー２４０が密着するように挿入できる。これによって、上記モジュールハウジング２１０の内面と上記セルアセンブリー１００の外面とが密着し、上記モジュールハウジング２１０による放熱効率をより高めることができる。さらに、上記バッテリーモジュールを自動車用バッテリーモジュールに適用する場合、内部に搭載される内部構成の端部が鋭い形状を有するか、または端部が内側方向へ折り曲げられた形態を有する部材が適用された従来技術に比べて、本発明は、自動車事故時、内部カバーが破裂しても角が鋭くないことから、内部に収容された二次電池の二次的な損傷を防止することができる。
【００７７】
図７は、本発明の一実施例によるバッテリーモジュールの一部構成であるモジュールハウジングを概略的に示す斜視図である。
【００７８】
また、図２と共に図７を参照すれば、上記バッテリーモジュール２００は、両端が開放された管状のモジュールハウジング２１０をさらに含み得る。具体的には、上記モジュールハウジング２１０は、四角管状のモノフレームであり得る。また、上記モジュールハウジング２１０は、上記セルアセンブリー１００及び上記バスバーフレーム２２２の内側の一部を内部空間に収納するように構成され得る。例えば、図２に示したように、上記モジュールハウジング２１０は、前後方向に開放された四角管状であり得る。
【００７９】
一方、従来技術では、上記モジュールハウジング２１０の内部に締まりばめ方式でセルアセンブリー１００を円滑に収納するためには、各構成品の寸法が誤差許容範囲を超える場合、二つの構成の組立が組み立てにくかった。
【００８０】
そこで、本発明のこのような構成によれば、本発明のバッテリーモジュール２００は、締まりばめ方式でセルアセンブリー１００を内部に収納できる内部空間を有するモジュールハウジング２１０を備えることで、上記モジュールハウジング２１０の内面と上記セルアセンブリー１００の外面とが密着でき、上記モジュールハウジング２１０による放熱効率をより向上させることができる。
【００８１】
図２と共に図７をさらに参照すれば、上記モジュールハウジング２１０の開放された両側端部２１１には、面取り部Ｃ１が形成され得る。具体的には、上記面取り部Ｃ１は、両側端部２１１へ進むほど両側端部の中央を基準で外側方向へ傾いた構造を有し得る。そして、上記面取り部Ｃ１は、上記モジュールハウジング２１０の開放された両側端部２１１の内部と隣接して形成され得る。例えば、上記面取り部Ｃ１は、上記モジュールハウジング２１０の開放された両側端部２１１の厚さは、端部へ進むほど厚さが薄くなる構造であり得る。そして、上記面取り部Ｃ１は、上記モジュールハウジング２１０の端部の内側面の位置が両側端部２１１へ進むほど次第に高くなる構造であり得る。
【００８２】
例えば、図７に示したように、上記モジュールハウジング２１０の開放された両側端部２１１の上端部２１１ａ、側端部２１１ｃ、２１１ｄ及び下端部２１１ｂの各々には、面取り部Ｃ１が形成され得る。具体的には、上記モジュールハウジング２１０の開放された端部２１１の上端部２１１ａに形成された面取り部Ｃ１は、末端部へ進むほど上方へ傾いた構造を有し得る。逆に、上記開放された端部２１１の下端部２１１ｂに形成された面取り部Ｃ１は、外側へ進むほど下方へ傾いた構造を有し得る。そして、上記開放された端部２１１の側端部２１１ｃ、２１１ｄの面取り部Ｃ１は、上記セルアセンブリー１００が位置した左側方向または右側方向（外側）へ傾いた構造を有し得る。
【００８３】
したがって、本発明は、上記モジュールハウジング２１０の開放された両側端部２１１に面取り部Ｃ１を形成することで、上記セルアセンブリー１００及び上記内部カバー２４０を内部空間に挿入する過程で発生する干渉を最小化することができるだけでなく、上記モジュールハウジング２１０の内面と上記セルアセンブリー１００の外面とが密着して挿入されるようにする。
【００８４】
図２と共に図７をさらに参照すれば、上記モジュールハウジング２１０の内側面には、内側方向へ突出した線状突起２１３が形成され得る。具体的には、上記線状突起２１３は、上記セルアセンブリー１００が位置した下方へ突出して上記モジュールハウジング２１０の開放された両端へ長く延びた形態であり得る。例えば、図７に示したように、二つの線状突起２１３が上記モジュールハウジング２１０の開放された一側端部２１１ａと他側端部（図示せず）とを連結するように長く延びるように形成され得る。
【００８５】
ここで、「内側方向」とは、上記モジュールハウジング２１０を基準で上記セルアセンブリー１００が位置した方向を意味する。
【００８６】
また、上記線状突起２１３は、下方へ突出して水平方向の幅が下方へ進むほど次第に細くなる形態を有し得る。即ち、上記線状突起２１３は、側端面が尖った角形状であり得る。
【００８７】
一方、図２、図５及び図６をさらに参照すれば、上記内部カバー２４０のプレート部２４１の外側面には、上記線状突起２１３が挿入されて移動可能になるように凹んだガイド溝２４３が形成され得る。具体的には、上記ガイド溝は、上記内部カバー２４０のプレート部２４１の外側面に内側方向へ凹んだ形態であり得る。
【００８８】
ここで、「内側方向」とは、上記内部カバー２４０を基準で、上記セルアセンブリー１００が位置した方向を意味する。
【００８９】
また、上記ガイド溝２４３は、上記モジュールハウジング２１０の開放された両端へ長く延びた形態であり得る。例えば、図２に示したように、上記内部カバー２４０のプレート部２４１の外側面には、二つのガイド溝２４３が上記プレート部２４１の前端部２４０ａから後端部２４０ｂまで延びて形成され得る。
【００９０】
したがって、本発明のこのような構成によれば、本発明は、上記モジュールハウジング２１０の内側面に形成された線状突起２１３が挿入移動可能に構成されたガイド溝２４３を上記内部カバー２４０の外側面に形成することで、上記モジュールハウジング２１０の内部へ上記内部カバー２４０及び上記セルアセンブリー１００を挿入移動する経路をガイドできる。これによって、製造工程の時間を短縮し、挿入過程中の動きによるモジュールハウジング２１０の内側面と内部カバー２４０及びセルアセンブリー１００が干渉されることを最小化することができる。
【００９１】
図８は、本発明の一実施例によるバッテリーモジュールの一部構成を概略的に示す斜視図である。図９は、図１のバッテリーモジュールのＤ領域を拡大して概略的に示す斜視図である。そして、図１０は、本発明の一実施例によるバッテリーモジュールの一部構成が組み立てられる過程を概略的に示す側面図である。
【００９２】
図８〜図１０を参照すれば、上記バスバーフレーム２２２の本体部２２２ａの一端部には、上記内部カバー２４０の結合部２４５とヒンジ結合構造で結合する締結部２２２ｃが備えられ得る。具体的には、上記内部カバー２４０の結合部２４５には、上記バスバーフレーム２２２の端部（上端部）の回動が可能になるようにＣ字型フック２４４が備えられ得る。そして、上記バスバーフレーム２２２の締結部２２２ｃには、一部が上記Ｃ字型フック２４４に挿入される固定棒２２２ｃ１が備えられ得る。しかし、これは一例に過ぎず、上記内部カバー２４０の結合部２４５と上記バスバーフレーム２２２の締結部２２２ｃとがヒンジ結合構造で結合可能であれば如何なる形態も適用できる。
【００９３】
例えば、図９に示したように、上記内部カバー２４０の前端部２４０ａには、二つのＣ字型フック２４４が相互に一定の距離で離隔して形成され得る。そして、上記Ｃ字型フック２４４は、上記プレート部２４１の前端部２４０ａから下方へ突出して延びた形態を有し得る。即ち、上記Ｃ字型フック２４４は、上記プレート部２４１の前端部２４０ａの下部（内側）に位置し得る。また、図５及び図６に示したように、上記内部カバー２４０の前端部２４０ａ及び後端部２４０ｂの各々に二つのＣ字型フック２４４が形成され得る。
【００９４】
また、上記固定棒２２２ｃ１は、上記バスバーフレーム２２２の本体部２２２ａの上端部に形成され得る。より具体的には、上記バスバーフレーム２２２の上端部には下方へ凹んだ凹溝２２２ｃ２が形成され得る。そして、上記凹溝２２２ｃ２の内部には内部左側面から内部右側面まで延びた固定棒２２２ｃ１が形成され得る。さらに、上記固定棒２２２ｃ１は、左右方向へ延びた円柱形態であり得る。
【００９５】
例えば、図８に示したように、上記バスバーフレーム２２２の本体部２２２ａの上端部には二つの凹溝２２２ｃ２及び上記二つの凹溝２２２ｃ２の各々の内部に形成された固定棒２２２ｃ１が形成され得る。また、上記図９に示したように、上記内部カバー２４０の二つのＣ字型フック２４４は、上記二つの固定棒２２２ｃ１とヒンジ結合し得る。
【００９６】
また、図８を参照すれば、上記バスバーフレーム２２２の本体部２２２ａは、内側方向へ突出した形態の突出部２２２ｐが備えられ得る。具体的には、上記突出部２２２ｐは、上記セルアセンブリー１００が位置した方向へ突出した形態であり得る。また、上記突出部２２２ｐは、例えば、溶接固定ジグ（図示せず）が挿入されるように挿入溝Ｈ２が形成され得る。例えば、図８に示したように、上記バスバーフレーム２２２の本体部２２２ａの左右方向の両端部の各々には、上記セルアセンブリー１００が位置した内側方向へ突出した突出部２２２ｐが形成され得る。そして、二つの突出部２２２ｐの各々には、上記溶接固定ジグが挿入される挿入溝Ｈ２が形成され得る。
【００９７】
そして、図５及び図６をさらに参照すれば、上記内部カバー２４０の前端部２４０ａ及び後端部２４０ｂには、本体の内側方向へ湾入した切欠き溝２４１ｈが形成され得る。具体的には、上記切欠き溝２４１ｈは、上記バスバーフレーム２２２と結合した一端部に上記突出部２２２ｐが挿入されるように本体の内側方向へ湾入した形態であり得る。
【００９８】
より具体的には、上記切欠き溝２４１ｈは、上記内部カバー２４０のプレート部２４１の前端部２４０ａ及び後端部２４０ｂの各々の左右方向の隅に形成され得る。例えば、図６に示したように、上記内部カバー２４０のプレート部２４１の前端部２４０ａには四つの切欠き溝２４１ｈが形成され得る。そして、上記４個の切欠き溝２４１ｈのうち二つは、残りの切欠き溝２４１ｈよりも上記プレート部２４１の前端部２４０ａの左右方向の中心に近く位置し得る。さらに、残りの二つの切欠き溝２４１ｈは、上記内部カバー２４０のプレート部２４１の前端部２４０ａの左右方向の両側の隅に各々形成され得る。
【００９９】
また、例えば、図６に示したように、上記内部カバー２４０のプレート部２４１の後端部２４０ｂには、４個の切欠き溝２４１ｈが形成され得る。そして、上記４個の切欠き溝２４１ｈのうち二つは、残りの切欠き溝２４１ｈと相対的に上記プレート部２４１の後端部２４０ｂの左右方向の中心に近く形成され得る。さらに、残りの二つの切欠き溝２４１ｈは、上記内部カバー２４０のプレート部２４１の後端部２４０ｂの左右方向の両側の隅に各々形成され得る。
【０１００】
一方、図１及び図３と共に図８及び図９を参照すれば、本発明の一実施例によるバッテリーモジュール２００は、保護回路モジュール２５０をさらに含み得る。具体的には、上記保護回路モジュール２５０は、導線パターンが形成された印刷回路基板２５４、温度センシング部２５３、コネクター２５８及び電圧センシング端子２５２を備え得る。
【０１０１】
より具体的には、上記印刷回路基板２５４は、上記セルアセンブリー１００の上側または下側に位置し得る。さらに、上記印刷回路基板２５４は、図１のＦ方向から見た場合、前後方向へ長く延びた形態であり得る。例えば、図３に示したように、上記印刷回路基板２５４は、上記セルアセンブリー１００の上面と接するように位置している。そして、上記印刷回路基板２５４の前後方向の両端部が上記セルアセンブリー１００の外側に突出するように前後方向へ長く延びた形態であり得る。さらに、上記印刷回路基板２５４は、例えば、軟性回路基板（Ｆｌｅｘｉｂｌｅ  Ｐｒｉｎｔｅｄ  Ｃｉｒｃｕｉｔ  Ｂｏａｒｄ）であり得る。
【０１０２】
また、上記電圧センシング端子２５２は、上記印刷回路基板２５４の前後方向の両端部に形成され得る。さらに、上記電圧センシング端子２５２は、上記二次電池１１０の電圧を測定するように導線を備え得る。そして、上記電圧センシング端子２５２の導線は、上記バスバー２２５と電気的に接続するように上記バスバー２２５に接合され得る。
【０１０３】
例えば、図８に示したように、複数の電圧センシング端子２５２は、上記バスバーフレーム２２２に外側に取り付けられた複数のバスバー２２５の各々に接合され得る。そして、上記電圧センシング端子２５２は、各バスバー２２５に電気的に並列接続した二つの二次電池の電圧値をセンシングし得る。
【０１０４】
さらに、上記電気的に並列接続している複数の二次電池１１０が接続したバスバー２２５を一つのノードで看做し得る。また、上記バスバー２２５に接触した電圧センシング端子２５２は、上記セルアセンブリー１００のノード電圧をセンシングするように構成され得る。さらに、上記電圧センシング端子２５２によってセンシングされた電圧データは、印刷回路基板２５４及びコネクター２５８を介してＢＭＳ（Ｂａｔｔｅｒｙ  Ｍａｎａｇｅｍｅｎｔ  Ｓｙｓｔｅｍ）に伝送され得る。ここで、ＢＭＳ（図示せず）は、収集された電圧データに基づいて複数の二次電池１１０の充放電を制御し得る。
【０１０５】
図１１は、本発明の一実施例によるバッテリーモジュールの一部構成である内部カバーを概略的に示す底面図である。
【０１０６】
図３と共に図１１を参照すれば、上記内部カバー２４０のプレート部２４１の内側下面２４０ｆには、上記印刷回路基板２５４の少なくとも一部が挿入されるように内側方向へ凹んだ凹み部２４０ｅが備えられ得る。具体的には、上記凹み部２４０ｅは、上記プレート部２４１の内側面２４０ｆの前端部２４０ａから後端部２４０ｂまで長く延びた形態であり得る。また、上記凹み部２４０ｅは、上記印刷回路基板２５４の一部と対応する大きさを有し得る。
【０１０７】
例えば、図１１に示したように、上記プレート部２４１の内側面２４０ｆの外周部２４０ｈを除いた部位は、上記外周部２４０ｈよりもプレート部２４１の内側方向へ凹んだ形態を有し得る。また、上記プレート部２４１の内側面２４０ｆの中心部位には、前後方向へ長く延びて上記内側面２４０ｆよりも相対的に内側方向へ凹んだ凹み部２４０ｅが形成され得る。
【０１０８】
したがって、本発明のこのような構成によれば、上記内部カバー２４０の内側面２４０ｆに内部へ凹んだ凹み部２４０ｅを形成することで、上記印刷回路基板２５４の一部を挿入固定できる。これによって、上記印刷回路基板２５４が占める体積をより減少させるだけでなく、上記凹み部２４０ｅが上記印刷回路基板２５４を正確な位置にガイドでき、製造時間を短縮することができる。さらに、上記凹み部２４０ｅに挿入された上記印刷回路基板２５４は、上記セルアセンブリー１００が上記印刷回路基板２５４を上方へ加圧する力を減らすことができる。
【０１０９】
図１２は、本発明の一実施例によるバッテリーモジュール及び分解したモジュールハウジングを概略的に示す底面図である。そして、図１３は、図１２のバッテリーモジュールの線Ｅ−Ｅ’に沿って切断した側面の一部を概略的に示した側断面図である。
【０１１０】
図３と共に図１２及び図１３を参照すれば、上記バスバーフレーム２２２には、上記セルアセンブリー１００の一部を上方へ支持する支持板２２２ｂが備えられ得る。具体的には、上記支持板２２２ｂは、内側方向へ突出して延びた形態を有し得る。
【０１１１】
ここで、「内側方向」とは、上記バスバーフレーム２２２を基準にして、上記セルアセンブリー１００の中心に向けた方向を意味する。
【０１１２】
上記支持板２２２ｂは、上記本体部２２２ａの下端において前後方向の中心が位置した方向へ突出して延びた形態を有し得る。そして、上記支持板２２２ｂの左右方向（Ｘ方向）の幅は、上記セルアセンブリー１００の左右方向（Ｘ方向）の幅と対応する大きさを有し得る。即ち、上記支持板２２２ｂは、セルアセンブリー１００の下面の下に配置され、セルアセンブリー１００の前後方向（Ｙ方向）の両端部の下面を上方（図１のＺ方向）へ支持し得る。
【０１１３】
ここで、上記セルアセンブリー１００は、上記バスバーアセンブリー２２０と組み立てられた状態で後続の組立工程に進むために運ばれ得る。この過程で複数の二次電池１１０が下方へ垂れ得る。また、上記バスバーアセンブリー２２０と組み立てられたセルアセンブリー１００が上記モジュールハウジング２１０の内部に挿入される中に、複数の二次電池１１０の一部でも下方へ垂れてしまうと、該部分がモジュールハウジング２１０の入口に干渉されて上記モジュールハウジング２１０との組立が難しくなり得る。
【０１１４】
したがって、本発明は、バスバーフレーム２２２に上記セルアセンブリー１００の下面の一部を上方へ支持できる支持板２２２ｂを備えることで、上記セルアセンブリー１００の垂れを防止してモジュールハウジング２１０との組立を容易にする。
【０１１５】
特に、本発明において、上記支持板２２２ｂは、上記セルアセンブリー１００の左右方向（Ｘ軸方向）の幅が次第に減少して中央部分が鋭い縁端ラインＬ２を有し得る。
【０１１６】
例えば、上記支持板２２２ｂは、縁端ラインＬ２が一字形ではなく、中央が尖るように二つの斜線が接した形態で製作され得る。以下、上記支持板２２２ｂの後方へ突出した中央部分を先端部２２２ｂ１とする。これは、上記バッテリーモジュール２００の組立に際し、上記支持板２２２ｂとモジュールハウジング２１０とが互いに接する摩擦力を減らすことでより円滑に上記バスバーフレーム２２２が上記モジュールハウジング２１０の内部に挿入されるようにするためである。
【０１１７】
例えば、図１２を参照すれば、上記バスバーフレーム２２２の本体部２２２ａには、上記セルアセンブリー１００の下部を上方へ支持するようにセルアセンブリー１００の中心方向へ突出して延びた支持板２２２ｂが形成され得る。また、上記支持板２２２ｂは、中心が鋭い縁端ラインＬ２を有する先端部２２２ｂ１を有しており、上記モジュールハウジング２１０の内部へスムーズに入りやすい。
【０１１８】
また、上記支持板２２２ｂは、上記バスバーフレーム２２２の支持板２２２ｂが上記モジュールハウジング２１０の内部により容易に組み立てられるように構成され得る。また、上記支持板２２２ｂは、セルアセンブリー１００の中心方向の末端へ進むほど厚さが薄くなる傾斜構造２２２ｂ２を備え得る。例えば、図１３に示したように、上記支持板２２２ｂの傾斜構造２２２ｂ２は、延長方向の縁端ラインＬ２へ進むほど厚さが薄くなるように形成され得る。即ち、上記先端部２２２ｂ１は、末端部へ進むほど上下方向の厚さが薄くなり得る。
【０１１９】
したがって、本発明のこのような構成によれば、本発明の上記支持板２２２ｂに、延長方向の末端へ進むほど厚さが薄くなる傾斜構造２２２ｂ２を形成することで、上記バッテリーモジュール２００の組立時、上記モジュールハウジング２１０の入口が上記支持板２２２ｂの傾斜構造に沿って入りながら広がり得る。
【０１２０】
図１４は、本発明の一実施例によるバッテリーモジュールを概略的に示す底面図である。図１４において、矢印Ｌは、熱伝導性物質の移動方向を示す。
【０１２１】
図３と共に図１４を参照すれば、本発明のバッテリーモジュール２００は、上記モジュールハウジング２１０の下部面に熱伝導性物質（図示せず）を注入するための少なくても一つ以上の注入ホール２１５が形成され得る。例えば、図１４に示したように、上記モジュールハウジング２１０の下部面には、所定の間隔で互いに離隔して左右方向の二列に配置された１４個の注入ホール２１５が備えられ得る。そして、上記第１列の注入ホール２１５と第２列の注入ホール２１５は、モジュールハウジング２１０の下部面の中心を基準で相互に前後方向Ｇへ所定の距離で離隔して位置し得る。ここで、上記熱伝導性物質は、例えば、シリコーン高分子、ウレタン系高分子またはセラミック素材であり得る。
【０１２２】
また、上記モジュールハウジング２１０の下部面に中心領域と前後方向Ｇの両端の領域に複数の確認ホール２１７がさらに形成される。具体的には、上記確認ホール２１７は、上記注入ホール２１５から注入された熱伝導性物質が上記確認ホール２１７が形成された領域まで染み込んだかを確認するための用途である。この際、上記確認ホール２１７で熱伝導性物質が確認されれば、熱伝導性物質の注入を止めて熱伝導性物質の注入量を調節する。さらに、上記確認ホール２１７は、上記注入ホール２１５から上記熱伝導性物質が注入される間、上記モジュールハウジング２１０の内部にある空気が外部へ抜け出る通路の役割を果たすことができる。
【０１２３】
したがって、本発明のこのような構成によれば、上記モジュールハウジング２１０の下部面に熱伝導性物質が注入される注入ホール２１５及び上記注入された熱伝導性物質が染み込んだ程度を確認することができる確認ホール２１７を備えることで、上記熱伝導性物質が上記モジュールハウジング２１０の内部に均一に広がるように誘導できる。
【０１２４】
一方、本発明の一実施例によるバッテリーパック（図示せず）は、上述したバッテリーモジュール２００を一つ以上含む。上記バッテリーパックには、バッテリーモジュール２００に加え、バッテリーモジュール２００を収納するためのパックケース（図示せず）、上記バッテリーモジュール２００の充放電を制御するための各種装置（図示せず）、例えば、ＢＭＳ（Ｂａｔｔｅｒｙ  Ｍａｎａｇｅｍｅｎｔ  Ｓｙｓｔｅｍ）、電流センサー、ヒューズなどをさらに含まれ得る。
【０１２５】
また、本発明の一実施例によるバッテリーパックは、電気自動車やハイブリッド自動車のような自動車に含まれ得る。即ち、本発明の一実施例による自動車は上述した本発明の一実施例によるバッテリーパックを含み得る。
【０１２６】
なお、本明細書において、上、下、左、右、前、後のような方向を示す用語が使用されたが、このような用語は相対的な位置を示し、説明の便宜のためのものであるだけで、対象となる事物の位置や観測者の位置などによって変わり得ることは、当業者にとって自明である。
【０１２７】
以上のように、本発明を限定された実施例と図面によって説明したが、本発明はこれに限定されず、本発明の属する技術分野における通常の知識を持つ者によって本発明の技術思想と特許請求の範囲の均等範囲内で多様な修正及び変形が可能であることは言うまでもない。
【産業上の利用可能性】
【０１２８】
本発明は、内部カバーを含むバッテリーモジュールに関する。また、本発明は、少なくとも一つ以上のバッテリーモジュールが備えられたバッテリーパック及び上記バッテリーパックを含む自動車関連産業に利用可能である。
【符号の説明】
【０１２９】
１００    セルアセンブリー
１１０    二次電池
１１１    電極リード
２００    バッテリーモジュール
２１０    モジュールハウジング
２１３    線状突起
２２０    バスバーアセンブリー
２２２，２２４    バスバーフレーム
２２２ａ    本体部
２２２ｂ    支持板
２２２ｃ    締結部
２２２ｃ１    固定棒
２２５    バスバー
２４０    内部カバー
２４１    プレート部
２４１ｈ    挿入溝
２４３    ガイド溝
２４４    Ｃ型フック
２４５    結合部
２５０    保護回路モジュール
２５２    電圧センシング端子
２５４    印刷回路基板
Ｃ１，Ｃ２    面取り部
【図１】
2021517718.tif 000003
【図２】
2021517718.tif 000004
【図３】
2021517718.tif 000005
【図４】
2021517718.tif 000006
【図５】
2021517718.tif 000007
【図６】
2021517718.tif 000008
【図７】
2021517718.tif 000009
【図８】
2021517718.tif 000010
【図９】
2021517718.tif 000011
【図１０】
2021517718.tif 000012
【図１１】
2021517718.tif 000013
【図１２】
2021517718.tif 000014
【図１３】
2021517718.tif 000015
【図１４】
2021517718.tif 000016
【国際調査報告】
2021517718.tif 000017
2021517718.tif 000018
2021517718.tif 000019
2021517718.tif 000020